(57)【特許請求の範囲】
【請求項１】
主電源回線と調光電源回線に接続された複数の照明灯を管理するシステムであって、主電源回線に接続されるスイッチと、主電源と調光電源が投入された順序を検出する電源検出部と、その電源検出部にて調光電源→主電源の投入順が検出された時点から、予め設定されたスイッチ開閉時間が経過した時点で主電源がオフになったときにスイッチの開閉を制御する開閉制御部を備えてなる端末装置が、複数の照明灯のそれぞれに設けられており、その各照明灯の端末装置のスイッチ開閉時間が互いに異なる値に設定されているとともに、
主電源回路に流れる洩れ電流を検出するリーク電流検出部または主電源回路と調光電源回路に流れる回路電流を検出する回路電流検出部と、電源供給設備側に設置され、主電源の投入スイッチ及び調光電源の投入スイッチを開閉制御する制御手段とを備え、
前記制御手段は、前記投入スイッチの開閉制御により、照明灯への電源投入を調光電源→主電源の順で行うことによって照明灯を順次個別に点灯し、この個別点灯時において前記リーク電流検出部または回路電流検出部の検出値に基づいて複数の照明灯のうち、故障が発生している箇所を特定する故障点検処理と、その故障箇所の特定結果に基づいて、故障が発生している箇所の照明灯を切り離すにあたり、前記投入スイッチの開閉制御により、調光電源投入から主電源投入までの時間を上記した故障点検時とは異なる時間として、照明灯への電源投入を調光電源→主電源の順で行うとともに、主電源の投入からオフまでの時間を、複数の端末装置のうち、故障が発生している箇所の照明灯の端末装置に対応するスイッチ開閉時間に設定し、そのスイッチ開閉時間に一致する故障箇所の端末装置のみを動作させて、この端末装置のスイッチをオフの状態に保持して主電源から切り離す端末切り離し処理を実行することを特徴とする照明灯の管理システム。
【請求項２】
請求項１記載の照明灯の管理システムにおいて、前記制御手段は、調光電源投入から主電源投入までの時間を、上記した故障点検時及び端末装置の切り離し時とは異なる時間として、照明灯への電源投入を調光電源→主電源の順で行うとともに、主電源の投入からオフまでの時間を、複数の端末装置のうち、前記故障が発生している箇所の照明灯の端末装置に対応するスイッチ開閉時間に設定することにより、故障が発生している箇所の端末装置のオフ状態にあるスイッチをオンに復帰させる端末復帰処理を実行することを特徴とする照明灯の管理システム。
【発明の詳細な説明】
【０００１】
【発明の属する技術分野】
本発明は、例えば道路灯、トンネル灯、街路灯あるいは倉庫・工場照明灯等の室外施設用の照明灯の管理システムに関する。
【０００２】
【従来の技術】
高速道路に設置される道路灯は、インターチェンジにおいてフィーダ系統ごとに管理されている。インターチェンジには、通常、４〜５フィーダの系統が設置され、その１つのフィーダ系統には多数（例えば２０〜３０灯程度）の道路灯が接続されている。
【０００３】
また、道路照明においては、各フィーダ系統に対し主電源回線と調光電源回線が布設されており、通常、主電源をオンとした後に調光電源をオンにするという順序で電源供給が行われる。
【０００４】
なお、以上のような電源供給方式は、トンネル灯、街路灯あるいは倉庫・工場照明灯等の他の室外施設用の照明灯にも採用されている。
【０００５】
【発明が解決しようとする課題】
ところで、道路灯としては、専用の安定器が内蔵された高圧ナトリウムランプが使用されており、その安定器の絶縁不良による故障が発生することがある。また、ランプ不点等の故障も発生することがある。
【０００６】
このような故障が発生したときには、その故障箇所を特定して復旧作業を行う必要がある。故障復旧の具体的な措置は、主電源をオフにした後、故障箇所の道路灯をフィーダ系統（主電源）から切り離して主電源を再投入するという方法が採られている。
【０００７】
しかしながら、そのような復旧措置では、故障が発生すると、どのような状況下においても保守員が現場に出向いて作業を行う必要があり、保守員に多大な労力負担が要求される上、復旧が完了するまでに長時間を要する。さらに、復旧作業が完了するまでは道路照明システムが消灯したままの状態となるので、ドライバの視環境が最も悪い状態が長時間にわたって継続される。
【０００８】
本発明はそのような実情に鑑みてなされたもので、安定器の絶縁不良やランプ不点の故障が発生した場合などにおいて、照明灯の主電源からの切り離し・復帰を簡単かつ短時間で終えることが可能な照明灯の管理システムを提供することを目的とする。
【０００９】
【課題を解決するための手段】
本発明は、主電源回線と調光電源回線に接続された複数の照明灯を管理するシステムであって、主電源回線に接続されるスイッチと、主電源と調光電源が投入された順序を検出する電源検出部と、その電源検出部にて調光電源→主電源の投入順が検出された時点から、予め設定されたスイッチ開閉時間が経過した時点で主電源がオフになったときにスイッチの開閉を制御する開閉制御部を備えてなる端末装置が、複数の照明灯のそれぞれに設けられており、その各照明灯の端末装置のスイッチ開閉時間が互いに異なる値に設定されているとともに、主電源回路に流れる洩れ電流を検出するリーク電流検出部または主電源回路と調光電源回路に流れる回路電流を検出する回路電流検出部と、電源供給設備側に設置され、主電源の投入スイッチ及び調光電源の投入スイッチを開閉制御する制御手段とを備え、前記制御手段は、前記投入スイッチの開閉制御により、照明灯への電源投入を調光電源→主電源の順で行うことによって照明灯を順次個別に点灯し、この個別点灯時において前記リーク電流検出部または回路電流検出部の検出値に基づいて複数の照明灯のうち、故障が発生している箇所を特定する故障点検処理と、その故障箇所の特定結果に基づいて、故障が発生している箇所の照明灯を切り離すにあたり、前記投入スイッチの開閉制御により、調光電源投入から主電源投入までの時間を上記した故障点検時とは異なる時間として、照明灯への電源投入を調光電源→主電源の順で行うとともに、主電源の投入からオフまでの時間を、複数の端末装置のうち、故障が発生している箇所の照明灯の端末装置に対応するスイッチ開閉時間に設定し、そのスイッチ開閉時間に一致する故障箇所の端末装置のみを動作させて、この端末装置のスイッチをオフの状態に保持して主電源から切り離す端末切り離し処理を実行することによって特徴づけられる。
【００１０】
本発明の管理システムによれば、高速道路に設置される道路灯等の複数の照明灯のうち、特定の照明灯の主電源からの切り離しを、電源供給設備側（電気室等）にて簡単かつ短時間で行うことができる。
【００１１】
本発明の管理システムにおいて、調光電源投入から主電源投入までの時間を、上記した故障点検時及び端末装置の切り離し時とは異なる時間として、照明灯への電源投入を調光電源→主電源の順で行うとともに、主電源の投入からオフまでの時間を、複数の端末装置のうち、前記故障が発生している箇所の照明灯の端末装置に対応するスイッチ開閉時間に設定することにより、故障が発生している箇所の端末装置のオフ状態にあるスイッチをオンに復帰させる端末復帰処理を上記制御手段が実行するように構成すれば、切り離しを行った照明灯の復帰も、電源供給設備側にて簡単かつ短時間で行うことができる。
【００１２】
【発明の実施の形態】
本発明の実施の形態を、以下、図面に基づいて説明する。
【００１３】
図１は本発明の管理システムに適用する端末装置の構成を示すブロック図である。
【００１４】
図１に示す端末装置２は、ランプ１１及び安定器１２を有する道路灯１の１次側（安定器１２の１次側に）接続される装置で、主電源回線１１１と調光電源回線１２１のそれぞれに接続されるスイッチａ，ｂと、主電源回線１１１と調光電源回線１２１に接続され、主電源と調光電源が投入されたときの投入順を検出する電源検出部２１と、調光電源が先に投入されたときに計時を開始するタイマ２２と、スイッチａ，ｂの開閉制御を行うスイッチ制御部２３と、スイッチ制御部２３に後述する遅延時間及びスイッチ開閉時間等を設定するための設定部２４によって構成されている。
【００１５】
スイッチ制御部２３は、電源検出部２１よって検出される電源投入順序が調光電源→主電源であるときに、故障点検モード、端末切り離しモードまたは端末復帰モードのいずれかを開始する。
【００１６】
故障点検モード、端末切り離しモードまたは端末復帰モードのうち、実行するモードは、調光電源投入から主電源投入までの時間（図３〜図６に示す▲１▼−▲２▼間の時間）に基づいて選択される。また、各モードの処理はタイマ２２の計時値に基づいて実行される。
【００１７】
故障点検モード、端末切り離しモード及び端末復帰モードの各詳細を、図３〜図６参照しつつ説明する。なお、図３〜図６及び図２において、スイッチａ，ｂの各符号には、道路灯ポールＮ0.１、Ｎ0.２・・Ｎ0.Ｎに対応する添え字を付けているが、以下の説明では添え字を省略する。
【００１８】
故障点検モードは、調光電源の投入（図２の投入スイッチＭＣ2 オン）から、一定時間（この例では１０秒）が経過した時点で主電源が投入（図２の投入スイッチＭＣ1 オン）されたときに動作を開始する。
【００１９】
故障点検モードでは、図３、図４のタイミングチャートに示すように、投入スイッチＭＣ2 （調光電源）がオンとなった時点でスイッチａを一度オフにした後、投入スイッチＭＣ1 （主電源）がオンになった時点から所定時間（遅延時間）だけ経過した時点でスイッチａを一定時間（例えば６０秒）だけオンにする。スイッチａがオンになった時点から一定時間（例えば３０秒）だけ遅れてスイッチｂを一定時間（例えば３０秒）だけオンにする。
【００２０】
なお、調光電源→主電源の投入順が検出された時点からスイッチａがオンとなるまでの遅延時間（図３、図４の▲２▼−▲３▼、▲２▼−▲６▼及び▲２▼−▲９▼間の時間等）は、設定部２４の操作により端末装置２ごとに異なる値を設定することができる。
【００２１】
端末切り離しモードは、調光電源投入から主電源投入までの時間が、上記した故障点検時とは異なる時間（この例では２０秒）であるときに動作を開始する。
【００２２】
端末切り離しモードでは、図５のタイミングチャートに示すように、投入スイッチＭＣ2 （調光電源）がオンとなった時点でスイッチａをオフにする。投入スイッチＭＣ1 （主電源）がオンなった時点からオフになるまでの時間（図５の▲２▼−▲３▼間の時間）が、予め設定されたスイッチ開閉時間に一致していないときは、投入スイッチＭＣ2 がオンとなった時点でスイッチａをオンにする。一方、投入スイッチＭＣ1 のオフからオンまでの時間がスイッチ開閉時間に一致しているときには、投入スイッチＭＣ2 がオンとなってもスイッチａはオフのままの状態が維持される（道路灯ポールＮ0.２）。
【００２３】
端末復帰モードは、調光電源投入から主電源投入までの時間が、上記した故障点検時及び端末切り離し時とは異なる時間（この例では３０秒）であるときに動作を開始する。この端末復帰モードでは、図６のタイミングチャートに示すように、投入スイッチＭＣ1 （主電源）がオンなった時点からオフになるまでの時間（図６の▲２▼−▲３▼間の時間）が、予め設定されたスイッチ開閉時間に一致するときに、オフ状態が継続されているスイッチａ（道路灯ポールＮ0.２）をオンに復帰する。
【００２４】
ここで、端末切り離しモード及び端末復帰モードで用いるスイッチ開閉時間は１台の端末装置２では同じ値を設定する。また、スイッチ開閉時間は設定部２４の操作により端末装置２ごとに異なる値を設定することができる。
【００２５】
次に、本発明の管理システムの実施形態を図２を参照しつつ説明する。
【００２６】
まず、この実施形態では、高速道路の道路灯の管理に本発明を適用した例を示している。１フィーダ系統には複数個（Ｎ個）の道路灯１・・１が設置されており、それら道路灯１・・１にそれぞれ主電源回線１１１と調光電源回線１２１が接続されている。なお、図２には、説明を判り易くすために、各道路灯１に対して道路灯ポールＮ0.を付している。
【００２７】
各道路灯１には、それぞれ先の図１に示した端末装置２が接続されている。その各端末装置２の遅延時間（故障点検モード）は、道路灯ポールＮ0.が大きくなるに従って順次に長くなるように設定されている。この例では、道路灯ポールＮ0.１の端末装置２の遅延時間が５秒、道路灯ポールＮ0.２の端末装置２の遅延時間が７０秒、道路灯ポールＮ0.３の遅延時間が１３５秒・・・ となるように設定されている。
【００２８】
また、各端末装置２のスイッチ開閉時間（端末切り離し・端末復帰モード）についても、道路灯ポールＮ0.が大きくなるに従って順次に長くなるように設定されている。この例では、道路灯ポールＮ0.１の端末装置２のスイッチ開閉時間が５秒、道路灯ポールＮ0.２の端末装置２のスイッチ開閉時間が６秒、道路灯ポールＮ0.３がスイッチ開閉時間が７秒・・・ となるように設定されている。
【００２９】
一方、主電源１０１及び調光電源１０２の電源供給設備側には、投入スイッチＭＣ1 及び投入スイッチＭＣ2 と、主電源回線１１１に流れる洩れ電流を検出するリーク電流検出部６と、主電源回線１１１と調光電源回線１２１に流れる電流を検出する回路電流検出部７が設けられている。
【００３０】
これら投入スイッチＭＣ1 ，ＭＣ2 、リーク電流検出部６及び回路電流検出部７、並びに管理用のパーソナルコンピュータ３が、例えばインターチェンジの電気室（図示せず）に設置される。
【００３１】
リーク電流検出部６及び回路電流検出部７の各出力はＡ／Ｄ変換器８を介してパーソナルコンピュータ３内に採り込まれる。パーソナルコンピュータ３には、入力装置４及び表示装置５等が接続されている。
【００３２】
パーソナルコンピュータ３は、故障点検モード、端末切り離しモード、端末復帰モードを行う旨の入力指令があったときには、主電源１０１の投入スイッチＭＣ1 及び調光電源１０２の投入スイッチＭＣ2 を開閉制御して各モードの処理を実行する。なお、パーソナルコンピュータ３へのモード実行指令及び道路灯ポールＮ0.の指定等は、入力装置４のキーボード操作や表示装置５の画面上に表示したアイコンのクリック操作等によって行う。
【００３３】
パーソナルコンピュータ３には、各端末装置２の端末切り離しモード及び端末復帰モードの実行時に使用するスイッチ開閉時間を道路灯ポールＮ0.に対応させて記憶したテーブルが設定されている。
【００３４】
パーソナルコンピュータ３にて実行される処理を以下に説明する。
［故障点検処理］
故障点検モードを実行する旨の指令入力があると、パーソナルコンピュータ３は、投入スイッチＭＣ2 （調光電源）をオンとし、１０秒経過後に投入スイッチＭＣ1 （主電源）をオンにする。このような投入順（調光電源→主電源）で電源が投入されると、各端末装置２は故障点検モード動作を開始する。
【００３５】
故障点検モードでは、図３のタイミングチャートに示すように、各端末装置２のスイッチａ，ｂが、道路灯ポールＮ0.の順に一定の時間間隔をあけて順次オンとなり、各道路灯１が一定時間ずつ順次個別点灯する。
【００３６】
このような個別点灯時において、リーク電流検出部６にて洩れ電流が検出されたときには、パーソナルコンピュータ３は、故障（安定器１２の絶縁不良）が発生していると判断して、その故障箇所を特定する。
【００３７】
具体的には、道路灯１の点灯のタイミング（図３の▲４▼、▲７▼・・・ ）と洩れ電流の検出信号があったときの経過時間とから、故障が発生した道路灯１の道路灯ポールＮ0.を特定して、その道路灯ポールＮ0.を表示装置５の画面上に表示する。
【００３８】
図３に示す例では、投入スイッチＭＣ1 をオンとした後、図３の▲７▼の時点で洩れ電流の検出信号が発生しているので、道路灯ポールＮ0.２が故障箇所として表示される。なお、各道路灯１の点灯のタイミングつまり図３の▲２▼からの経過時間▲４▼、▲７▼・・・ は、各端末装置２の遅延時間及びスイッチａをオンに保持する時間によって求めることができるので、その各経過時間▲４▼、▲７▼・・・ を、パーソナルコンピュータ３に予め設定しておくか、あるいはパーソナルコンピュータ３において各経過時間▲４▼、▲７▼・・・ を計算するようにすればよい。
【００３９】
また、パーソナルコンピュータ３は、図４のタイミングチャートに示すように、道路灯１の順次個別点灯時（動作は図３と同じ）において、回路電流検出部７の検出出力に基づいて、故障（ランプ不点）が発生した道路灯１の道路灯ポールＮ0.を特定する。
【００４０】
その特定方法を具体的に説明する。まず、ランプ不点が発生していない場合、回路電流検出部７にて検出される検出信号には、電流有りを示す信号（図４に示すようなパルス）が各道路灯１の点灯ごとに発生する。これに対し不点灯の道路灯１があると、回路電流が流れないので故障箇所には検出信号が現れなくなる。従って、検出信号が現れわれていない箇所が、１つ目の検出信号（パルス）から数えて何番目であるかを認識することにより、故障（ランプ不点）が発生している道路灯１を特定することができる。図４に示す例では、２番目の道路灯１が不点状態となっているので、その道路灯ポールＮ0.２が表示装置５の画面上に表示される。
【００４１】
そして、パーソナルコンピュータ３は、全ての道路灯１・・１の個別点灯が完了した時点から、所定時間（例えば１０秒）が経過した時点で投入スイッチＭＣ1 ，ＭＣ2 を同時にオフにする。この処理により、各端末装置２のスイッチａがオンとなって、各端末装置２が通常モードに復帰する。
【００４２】
ここで、故障点検モードにおいてランプ不点の判定方法として、各道路灯ポールＮ0.の回路電流値を所定周期でサンプリングして、全点灯時と調光点灯時の回路電流値の変化量の大小でランプ不点の有無を判定するという方法を採用してもよい。その判定方法を、道路灯ポールＮ0.１を例にとって説明する。
【００４３】
まず、図４に示すタイミングチャートにおいて、▲３▼−▲４▼間が道路灯ポールＮ0.１の全点灯時であり、▲４▼−▲５▼間が道路灯ポールＮ0.１の調光点灯時である。
【００４４】
いま、道路灯ポールＮ0.１の道路灯１が正常である場合、全点灯から調光点灯に移行したときに、図７（Ａ）に示すように、回路電流値が大きく変化する。これに対し道路灯ポールＮ0.１の道路灯１にランプ不点が発生していると、図７（Ｂ）に示すように、全点灯から調光点灯に移行しても、回路電流値は変化せずにほぼ一定の値を示す。
【００４５】
従って、全点灯時と調光点灯時における回路電流値の変化量の大小をモニタすることによってランプ不点を判定することができる。なお、ランプ不点が発生している道路灯１の道路灯ポールＮ0.は、各道路灯ポールＮ0.の点灯タイミング（図４の▲３▼−▲５▼、▲６▼−▲８▼・・・ ）から特定することができる。
［端末切り離しモード］
故障が発生している箇所の道路灯１を主電源１０１から切り離す場合、故障箇所の道路灯ポールＮ0.と、端末切り離しモードを実行する旨の指令をパーソナルコンピュータ３に入力する。パーソナルコンピュータ３は、入力された道路灯ポールＮ0.に対応する端末装置２のスイッチ開閉時間をテーブルから読み出して、投入スイッチＭＣ1 ，ＭＣ2 を開閉制御する。
【００４６】
具体的には、図５のタイミングチャートに示すように、投入スイッチＭＣ2 （調光電源）をオンとし、２０秒経過後に投入スイッチＭＣ1 （主電源）をオンにする。この時点（図５の▲２▼の時点）から、スイッチ開閉時間（テーブルから読み出した値）が経過した時点で投入スイッチＭＣ1 をオフにする。
【００４７】
このような処理により、投入スイッチＭＣ1 がオンからオフになるまでの時間（図５の▲２▼−▲３▼間の時間）に、スイッチ開閉時間が一致する端末装置２つまり故障箇所の端末装置２のみが動作する。
【００４８】
この例では、道路灯ポールＮ0.２が故障箇所であるので、その端末装置２のスイッチ開閉時間：６秒がテーブルから読み出され、このスイッチ開閉時間に基づいて投入スイッチＭＣ1 のオン・オフが制御される。これにより、道路灯ポールＮ0.２の端末装置２のみが端末切り離しモードで動作し、この端末装置２のスイッチａが、投入スイッチＭＣ2 がオフとなった後においてもオフの状態が保持され（図５の▲３▼）、道路灯ポールＮ0.２の道路灯１が主電源１０１から切り離される。
［端末復帰処理］
故障箇所の復旧措置が完了した後に、故障箇所の道路灯１を主電源１０１に再接続する場合、復帰を行う道路灯ポールＮ0.と、端末復帰モードを実行する旨の指令をパーソナルコンピュータ３に入力する。パーソナルコンピュータ３は、入力された道路灯ポールＮ0.に対応する端末装置２のスイッチ開閉時間をテーブルから読み出して、投入スイッチＭＣ1 ，ＭＣ2 を開閉制御する。
【００４９】
具体的には、図６のタイミングチャートに示すように、投入スイッチＭＣ2 （調光電源）をオンとし、３０秒経過後に投入スイッチＭＣ1 （主電源）をオンにする。この時点（図６の▲２▼の時点）から、スイッチ開閉時間（テーブルから読み出した値）が経過した時点で投入スイッチＭＣ1 をオフにする。
【００５０】
このような処理により、投入スイッチＭＣ1 がオンからオフになるまでの時間（図６の▲２▼−▲３▼間の時間）に、スイッチ開閉時間が一致する端末装置２つまり故障箇所の端末装置２のみが動作する。
【００５１】
この例では、道路灯ポールＮ0.２が復帰箇所であるので、その端末装置２のスイッチ開閉時間：６秒がテーブルから読み出され、このスイッチ開閉時間に基づいて投入スイッチＭＣ1 のオン・オフが制御される。これにより、道路灯ポールＮ0.２の端末装置２のみが端末復帰モードで動作し、この端末装置２のオフ状態にあるスイッチａが、投入スイッチＭＣ2 がオフとなった時点（図６の▲４▼の時点）でオンに切り替わり、道路灯ポールＮ0.２の道路灯１が主電源１０１に再度接続される。
【００５２】
以上のように、本実施形態によれば、道路に設置された道路灯１に絶縁不良やランプ不点が発生した場合、保守員は、インターチェンジに設けられた電気室に居りながら、表示装置５の表示画面から絶縁不良状態・ランプ不点状態にある道路灯１を簡単に特定することができる。
【００５３】
道路灯１に故障がある場合、その故障箇所の道路灯ポールＮ0.の指定と端末切り離しモード実行指令をパーソナルコンピュータ３に入力するだけで、故障箇所の道路灯１が主電源１０１から自動的に切り離されるので、仮復旧措置を、保守員が作業するよりもはるかに短い時間で効率よく行うことができる。また、仮復旧のために保守員が現場に出向く必要がなくなるので、保守員の労力負担を軽減することができる。
【００５４】
さらに、故障箇所のランプ１１や安定器１２の交換等の復旧が完了した後に道路灯１の復帰（主電源への接続）を行う場合も、道路灯ポールＮ0.の指定と端末復帰モード実行指令をパーソナルコンピュータ３に入力するだけよいので、その復帰作業も電気室側で行うことができる。
【００５５】
ここで、以上の実施形態では、故障箇所の道路灯を対象として端末切り離し・端末復帰モードを実行しているが、これに限られることなく、通常の点灯制御を行う場合にも端末切り離し・端末復帰モードを利用することができる。
【００５６】
例えば、フィーダ系統に接続されている複数の道路灯のうち、いくつかの道路灯の点灯を間引くというような点灯制御を行う場合、消灯する道路灯ポールＮ0.をパーソナルコンピュータ３に入力して端末切り離しモードを実行することで、目的とする点灯制御を電気室側の操作にて行うことができる。また、端末復帰モードと端末切り離しモードを組み合わせて実行することにより、消灯箇所と点灯箇所とを逆転させる等の制御も簡単に行うことができる。
【００５７】
以上の実施形態では、高速道路に設置される道路灯の保守・管理に本発明を適用した例を示しているが、本発明はこれに限られることなく、例えばトンネル灯、街路灯あるいは倉庫・工場照明灯等の室外施設用の各種照明灯にも適用可能である。
【００５８】
【発明の効果】
以上説明したように、本発明によれば、高速道路に設置される道路灯等の複数の照明灯のうち、特定の照明灯の主電源からの切り離し・復帰を、電源供給設備側（電気室等）にて簡単かつ短時間で行うことができる。これにより、照明灯に故障が発生したときに、保守員が現場に急行する必要がなくなり、保守員の労力負担を軽減することができる。また、照明システムの仮復旧を短時間で終えることができるので、例えば、道路灯が故障した場合に、ドライバの視環境を速やかに確保するすることができる。
【図面の簡単な説明】
【図１】本発明の管理システムに適用する端末装置の構成を示すブロック図である。
【図２】本発明の管理システムの実施形態の構成を示すブロック図である。
【図３】故障点検モード動作の一例を示すタイミングチャートである。
【図４】故障点検モード動作の他の例を示すタイミングチャートである。
【図５】端末切り離しモード動作の一例を示すタイミングチャートである。
【図６】端末復帰モード動作の一例を示すタイミングチャートである。
【図７】故障点検モード動作の更に別の例の説明図である。
【符号の説明】
１  道路灯
１１  ランプ
１２  安定器
２  端末装置
ａ，ｂ  スイッチ
２１  電源検出部
２２  タイマ
２３  スイッチ制御部
２４  設定部
３  パーソナルコンピュータ
４  入力装置
５  表示装置
６  リーク電流検出部
７  回路電流検出部
１０１  主電源
１１１  主電源回線
ＭＣ1   投入スイッチ
１０２  調光電源
１２１  調光電源回線
ＭＣ2   投入スイッチ
【図１】
0003728189.tif 000002
【図２】
0003728189.tif 000003
【図３】
0003728189.tif 000004
【図４】
0003728189.tif 000005
【図５】
0003728189.tif 000006
【図６】
0003728189.tif 000007
【図７】
0003728189.tif 000008